(57)【要約】【課題】２組のノズル及びシリンジポンプをもつ分注装置において、シリンジポンプをノズル洗浄動作に用いる場合に比べてシリンジポンプ構成部品の耐久性を向上させ、かつノズル洗浄時の洗浄水圧力を一定に保って洗浄能力を安定化させる。【解決手段】第１切替え弁２９から第１ノズル１先端までと同じ配管抵抗をもつ第１配管抵抗調整流路３１は、第１洗浄液流路１９に設けられた第１切替え弁２９に接続されている。第２切替え弁３３から第２ノズル５先端までと同じ配管抵抗をもつ第２配管抵抗調整流路３５は、第２洗浄液流路２１に設けられた第２切替え弁３３に接続されている。第１切替え弁２９は流路１９をポンプ３側又は流路３１側に切り替えて接続する。第２切替え弁３３は流路２１をポンプ７側又は流路３５側に切り替えて接続する。切替え弁２９，３３の接続状態がいずれの組合せであっても送液ポンプ１１により送液される洗浄水の圧力は同じである。【選択図】図１
0003128793.tif 000002
【実用新案登録請求の範囲】
【請求項１】
第１ノズルで液体の吸引及び吐出を行わせるために第１ノズルに接続された第１シリンジポンプと、第２ノズルで液体の吸引及び吐出を行わせるために第２ノズルに接続された第２シリンジポンプを備えた分注装置において、
流入側流路が洗浄水タンクに接続された送液ポンプと、
前記送液ポンプの送液側流路を前記第１シリンジポンプのシリンダに第１切替え弁を介して接続するための第１洗浄液流路と、
前記第１切替え弁から前記第１ノズル先端までの配管抵抗と同じ配管抵抗をもち、前記第１切替え弁に接続された第１配管抵抗調整流路と、
前記送液ポンプの前記送液側流路を前記第２シリンジポンプのシリンダに第２切替え弁を介して接続するための第２洗浄液流路と、
前記第２切替え弁から前記第２ノズル先端までの配管抵抗と同じ配管抵抗をもち、前記第２切替え弁に接続された第２配管抵抗調整流路と、を備え、
前記第１切替え弁は前記第１洗浄液流路を前記第１シリンジポンプ側又は前記第１配管抵抗調整流路側に切り替えて接続するものであり、
前記第２切替え弁は前記第２洗浄液流路を前記第２シリンジポンプ側又は前記第２配管抵抗調整流路側に切り替えて接続するものであることを特徴とする分注装置。
【請求項２】
前記第１配管抵抗調整流路の前記第１切替え弁とは反対側の端部及び前記第２配管抵抗調整流路の前記第２切替え弁とは反対側の端部は前記洗浄水タンクに接続されている請求項１に記載の分注装置。
【考案の詳細な説明】
【技術分野】
【０００１】
本考案は分注装置に関し、特に、第１ノズルで液体の吸引及び吐出を行わせるために第１ノズルに接続された第１シリンジポンプと、第２ノズルで液体の吸引及び吐出を行わせるために第２ノズルに接続された第２シリンジポンプを備えた分注装置に関するものである。例えば、このような分注装置は、生物学自動分析装置、血液凝固分析装置、免疫分析装置などの自動分析装置で試薬及びサンプルの分注に用いられる。
【背景技術】
【０００２】
生物学自動分析装置や血液凝固分析装置、免疫分析装置などの自動分析装置において、サンプルの吸引及び吐出を行なうためのサンプルノズルと、試薬の吸引及び吐出を行なうための試薬ノズルをもつ分注装置を備えているものがある。分注装置にはノズル洗浄機構が備えられている。
【０００３】
図２は従来の分注装置の流路構成を示す図である。
サンプルの吸引及び吐出を行なうためのサンプルノズル１にサンプル分注用シリンジポンプ３が接続されている。試薬の吸引及び吐出を行なうための試薬ノズル５に試薬分注用シリンジポンプ７が接続されている。洗浄水を収容するための洗浄水タンク９が設けられている。
【０００４】
サンプルノズル１とサンプル分注用シリンジポンプ３の間に３方弁４１が設けられている。３方弁４１には洗浄水タンク９につながる流路も接続されている。３方弁４１はサンプル分注用シリンジポンプ３をサンプルノズル１側又は洗浄水タンク９側に切り替えて接続する。
【０００５】
試薬ノズル５と試薬分注用シリンジポンプ７の間に３方弁４３が設けられている。３方弁４３には洗浄水タンク９につながる流路も接続されている。３方弁４３は試薬分注用シリンジポンプ７を試薬ノズル５側又は洗浄水タンク９側に切り替えて接続する。
【０００６】
この分注装置では、サンプルノズル１の洗浄時には、３方弁４１の切替え及びサンプル分注用シリンジポンプ３の駆動により、洗浄水タンク９から洗浄水をサンプル分注用シリンジポンプ３に吸引した後、サンプルノズル１に送液してサンプルノズル１の内部及び外部を洗浄する。同様に、試薬ノズル５の洗浄時には、３方弁４３の切替え及び試薬分注用シリンジポンプ７の駆動により、洗浄水タンク９から洗浄水を試薬分注用シリンジポンプ７に吸引した後、試薬ノズル５に送液して試薬ノズル５の内部及び外部を洗浄する。
【０００７】
図３は従来の他の分注装置の流路構成を示す図である。
サンプルノズル１にサンプル分注用シリンジポンプ３が接続され、試薬ノズル５に試薬分注用シリンジポンプ７が接続されている。洗浄水を収容するための洗浄水タンク９が設けられている。サンプル分注用シリンジポンプ３及び試薬分注用シリンジポンプ７に洗浄水を送液するための送液ポンプ１１が設けられている。送液ポンプ１１の流入側流路１３は洗浄水タンク９に接続されている。送液ポンプ１１の送液側流路１５はサンプル用洗浄液流路１９と試薬用洗浄液流路２１に分岐されている。
【０００８】
サンプル用洗浄液流路１９は送液側流路１５とサンプル分注用シリンジポンプ３のシリンダの間に接続されている。サンプル用洗浄液流路１９に２方弁（開閉弁）４５が設けられている。
試薬用洗浄液流路２１は送液側流路１５と試薬分注用シリンジポンプ７のシリンダの間に接続されている。試薬用洗浄液流路２１に２方弁４７が設けられている。
送液側流路１５には圧力調整流路２３も接続されている。圧力調整流路２３は送液側流路１５と洗浄水タンク９の間に接続されている。圧力調整流路２３に圧力計２５と圧力調整用ニードルバルブ３７が設けられている。
【０００９】
この分注装置では、サンプルノズル１の洗浄時には、送液ポンプ１１を駆動させ、２方弁４５を開き、サンプル用洗浄液流路１９を介して洗浄水をサンプル分注用シリンジポンプ３のシリンダ内からサンプルノズル１まで送液してサンプルノズル１の内部及び外部を洗浄する。同様に、試薬ノズル５の洗浄時には、２方弁４７を開き、試薬用洗浄液流路２１を介して洗浄水を試薬分注用シリンジポンプ７のシリンダ内から試薬ノズル５まで送液して試薬ノズル５の内部及び外部を洗浄する。
サンプルノズル１と試薬ノズル５の洗浄時期が重なった場合、２方弁４５，４７の両方を開いてサンプルノズル１及び試薬ノズル５の洗浄を同時に行なっている。
【考案の開示】
【考案が解決しようとする課題】
【００１０】
図２に示した従来の分注装置では、シリンジポンプ３，７の駆動はサンプル分注動作や試薬分注動作だけではなく、洗浄動作でも行なっているので、洗浄能力を上げるためにシリンジポンプ３，７の洗浄時の駆動回数を増やせば、例えば駆動ベルトやシールパッキンなどのシリンジポンプ３，７の駆動部部品の消耗が早くなるという問題があった。
【００１１】
図３に示した従来の分注装置では、サンプルノズル１及び試薬ノズル５のいずれか一方のみの洗浄時、すなわち２方弁４５，４７のいずれか一方のみを開いて洗浄液を送液している状態と、サンプルノズル１及び試薬ノズル５の両方の洗浄時、すなわち２方弁４５，４７の両方を開いて洗浄液を送液している状態とで洗浄水の圧力が異なり、洗浄能力がばらつくという問題があった。
【００１２】
そこで本考案は、２組のノズル及びシリンジポンプをもつ分注装置において、シリンジポンプをノズル洗浄動作に用いる場合に比べてシリンジポンプ構成部品の耐久性を向上させ、かつノズル洗浄時の洗浄水圧力を一定に保って洗浄能力を安定化させることを目的とするものである。
【課題を解決するための手段】
【００１３】
本考案にかかる分注装置は、第１ノズルで液体の吸引及び吐出を行わせるために第１ノズルに接続された第１シリンジポンプと、第２ノズルで液体の吸引及び吐出を行わせるために第２ノズルに接続された第２シリンジポンプを備えた分注装置であって、流入側流路が洗浄水タンクに接続された送液ポンプと、上記送液ポンプの送液側流路を上記第１シリンジポンプのシリンダに第１切替え弁を介して接続するための第１洗浄液流路と、上記第１切替え弁から上記第１ノズル先端までの配管抵抗と同じ配管抵抗をもち、上記第１切替え弁に接続された第１配管抵抗調整流路と、上記送液ポンプの上記送液側流路を上記第２シリンジポンプのシリンダに第２切替え弁を介して接続するための第２洗浄液流路と、上記第２切替え弁から上記第２ノズル先端までの配管抵抗と同じ配管抵抗をもち、上記第２切替え弁に接続された第２配管抵抗調整流路と、を備え、上記第１切替え弁は上記第１洗浄液流路を上記第１シリンジポンプ側又は上記第１配管抵抗調整流路側に切り替えて接続するものであり、上記第２切替え弁は上記第２洗浄液流路を上記第２シリンジポンプ側又は上記第２配管抵抗調整流路側に切り替えて接続するものである。
【００１４】
第１ノズルのみの洗浄時には、送液ポンプを駆動させて洗浄液を送液し、第１切替え弁により第１洗浄液流路を第１シリンジポンプのシリンダに接続し、第１洗浄液流路を介して洗浄水を第１シリンジポンプのシリンダ内から第１ノズルまで送液して第１ノズルを洗浄する。このとき、第２洗浄液流路は第２切替え弁により第２配管抵抗調整流路に接続されており、第２配管抵抗調整流路にも洗浄水が流される。
【００１５】
第２ノズルのみの洗浄時には、送液ポンプを駆動させて洗浄液を送液し、第２切替え弁により第２洗浄液流路を第２シリンジポンプのシリンダに接続し、第２洗浄液流路を介して洗浄水を第２シリンジポンプのシリンダ内から第２ノズルまで送液して第２ノズルを洗浄する。このとき、第１洗浄液流路は第１切替え弁により第１配管抵抗調整流路に接続されており、第１配管抵抗調整流路にも洗浄水が流される。
【００１６】
第１ノズルの洗浄中に、第２切替え弁を切り替えて第２洗浄液流路を第２配管抵抗調整流路又は第２シリンジポンプのシリンダに接続したとき、第２配管抵抗調整流路の配管抵抗と第２切替え弁から第２ノズル先端までの配管抵抗は同じなので、第２切替え弁の切替え前後で送液ポンプの送液側流路内の洗浄液圧力は変化せず、第１洗浄液流路内及び第２洗浄液流路内の洗浄液圧力も変化しない。
【００１７】
また、第２ノズルの洗浄中に、第１切替え弁を切り替えて第１洗浄液流路を第１配管抵抗調整流路又は第１シリンジポンプのシリンダに接続したとき、第１配管抵抗調整流路の配管抵抗と第１切替え弁から第１ノズル先端までの配管抵抗は同じなので、第１切替え弁の切替え前後で送液ポンプの送液側流路内の洗浄液圧力は変化せず、第１洗浄液流路内及び第２洗浄液流路内の洗浄液圧力も変化しない。
【００１８】
このように、第１切替え弁及び第２切替え弁の接続状態がいずれの組合せであっても、送液ポンプにより送液される洗浄水の圧力は同じになる。すなわち、第１ノズル及び第２ノズルを洗浄していない時、第１ノズルのみの洗浄時、第２ノズルのみの洗浄時、ならびに第１ノズル及び第２ノズルの両方の洗浄時のいずれの時期においても洗浄水圧力を一定に保つことができる。
洗浄動作は送液ポンプ、第１切替え弁及び第２切替え弁の駆動により行なうので、第１シリンジポンプの駆動及び第２シリンジポンプの駆動は分注動作のみに用いる。
【００１９】
本考案の分注装置において、上記第１配管抵抗調整流路の上記第１切替え弁とは反対側の端部及び上記第２配管抵抗調整流路の上記第２切替え弁とは反対側の端部は上記洗浄水タンクに接続されている例を挙げることができる。これにより、第１配管抵抗調整流路及び第２配管抵抗調整流路から排出される洗浄水は洗浄水タンクに戻される。
【考案の効果】
【００２０】
本考案の分注装置では、流入側流路が洗浄水タンクに接続された送液ポンプと、送液ポンプの送液側流路を第１シリンジポンプのシリンダに第１切替え弁を介して接続するための第１洗浄液流路と、第１切替え弁から第１ノズル先端までの配管抵抗と同じ配管抵抗をもち、第１切替え弁に接続された第１配管抵抗調整流路と、送液ポンプの送液側流路を第２シリンジポンプのシリンダに第２切替え弁を介して接続するための第２洗浄液流路と、第２切替え弁から第２ノズル先端までの配管抵抗と同じ配管抵抗をもち、第２切替え弁に接続された第２配管抵抗調整流路と、を備え、第１切替え弁は第１洗浄液流路を第１シリンジポンプ側又は第１配管抵抗調整流路側に切り替えて接続するものであり、第２切替え弁は第２洗浄液流路を第２シリンジポンプ側又は第２配管抵抗調整流路側に切り替えて接続するものであるようにした。
これにより、第１切替え弁及び第２切替え弁の接続状態がいずれの組合せであっても送液ポンプにより送液される洗浄水の圧力を同じにすることができ、第１ノズル及び第２ノズルを洗浄していない時、第１ノズルのみの洗浄時、第２ノズルのみの洗浄時、ならびに第１ノズル及び第２ノズルの両方の洗浄時のいずれの時期においても洗浄水圧力を一定に保つことができる。
その結果、ノズル洗浄時の洗浄水圧力を一定に保って洗浄能力を安定化させることができ、また、シリンジポンプは分注動作のみに用いることで、シリンジポンプをノズル洗浄動作に用いる場合に比べてシリンジポンプ構成部品の耐久性を向上させることができる。
【００２１】
本考案の分注装置において、第１配管抵抗調整流路の第１切替え弁とは反対側の端部及び第２配管抵抗調整流路の第２切替え弁とは反対側の端部は洗浄水タンクに接続されているようにすれば、第１配管抵抗調整流路及び第２配管抵抗調整流路から排出される洗浄水を洗浄水タンクに戻して再利用することができ、第１配管抵抗調整流路及び第２配管抵抗調整流路が洗浄水タンクに接続されていない場合に比べて洗浄水の消費量を減らすことができる。
【考案を実施するための最良の形態】
【００２２】
図１は一実施例の流路構成を示す図である。
サンプルの吸引及び吐出を行なうためのサンプルノズル（第１ノズル）１にサンプル分注用シリンジポンプ（第１シリンジポンプ）３が接続されている。試薬の吸引及び吐出を行なうための試薬ノズル（第２ノズル）５に試薬分注用シリンジポンプ（第２シリンジポンプ）７が接続されている。洗浄水を収容するための洗浄水タンク９が設けられている。洗浄水を送液するための送液ポンプ１１が設けられている。
【００２３】
送液ポンプ１１の流入側流路１３は洗浄水タンク９に接続されている。送液ポンプ１１の送液側流路１５はマニホールド（多岐管）１７に接続されて例えば５つの流路に分岐されている。マニホールド１７の送液側流路１５以外のポートに、サンプル用洗浄液流路１９、試薬用洗浄液流路２１、圧力調整流路２３、圧力計２５及び圧力スイッチ２７が接続されている。
【００２４】
サンプル用洗浄液流路１９はマニホールド１７とサンプル分注用シリンジポンプ３のシリンダの間に接続されている。サンプル用洗浄液流路１９に３方弁（第１切替え弁）２９が設けられている。３方弁２９にはサンプル用配管抵抗調整流路（第１配管抵抗調整流路）３１も接続されている。サンプル用配管抵抗調整流路３１は３方弁２９からサンプルノズル１先端までの配管抵抗と同じ配管抵抗をもつ。サンプル用配管抵抗調整流路３１の３方弁２９とは反対側の端部は洗浄水タンク９に接続されている。３方弁２９はサンプル用洗浄液流路１９をサンプル分注用シリンジポンプ３側又はサンプル用配管抵抗調整流路３１側に切り替えて接続する。
【００２５】
試薬用洗浄液流路２１はマニホールド１７と試薬分注用シリンジポンプ７のシリンダの間に接続されている。試薬用洗浄液流路２１に３方弁（第２切替え弁）３３が設けられている。３方弁３３には試薬用配管抵抗調整流路（第２配管抵抗調整流路）３５も接続されている。試薬用配管抵抗調整流路３５は３方弁３３から試薬ノズル５先端までの配管抵抗と同じ配管抵抗をもつ。試薬用配管抵抗調整流路３５の３方弁３３とは反対側の端部は洗浄水タンク９に接続されている。３方弁３３は試薬用洗浄液流路２１を試薬分注用シリンジポンプ７側又は試薬用配管抵抗調整流路３５側に切り替えて接続する。
【００２６】
圧力調整流路２３はマニホールド１７と洗浄水タンク９の間に接続されている。圧力調整流路２３に圧力調整用ニードルバルブ３７が設けられている。
圧力計２５はマニホールド１７につながる流路内の洗浄水圧力を測定するものである。
圧力スイッチ２７はマニホールド１７につながる流路内の圧力を監視することにより送液ポンプ１１の動作状態を監視するものである。
【００２７】
この実施例では、ノズル洗浄動作は送液ポンプ１１及び３方弁２９，３３の駆動により行なうので、サンプル分注用シリンジポンプ３の駆動及び試薬分注用シリンジポンプ７の駆動は分注動作のみに用いる。これにより、シリンジポンプをノズル洗浄動作に用いる場合に比べてシリンジポンプ３，７の構成部品の耐久性を向上させることができる。
【００２８】
サンプルノズル１のみの洗浄時には、送液ポンプ１１を駆動させて洗浄液を送液し、３方弁２９によりサンプル用洗浄液流路１９をサンプル分注用シリンジポンプ３のシリンダに接続し、サンプル用洗浄液流路１９を介して洗浄水をサンプル分注用シリンジポンプ３のシリンダ内からサンプルノズル１まで送液してサンプルノズル１の内部及び外部を洗浄する。このとき、試薬用洗浄液流路２１は３方弁３３により試薬用配管抵抗調整流路３５に接続されており、試薬用配管抵抗調整流路３５にも洗浄水が流される。
【００２９】
試薬ノズル５のみの洗浄時には、送液ポンプ１１を駆動させて洗浄液を送液し、３方弁３３を切り替えて試薬用洗浄液流路２１を試薬分注用シリンジポンプ７のシリンダに接続し、試薬用洗浄液流路２１を介して洗浄水を試薬分注用シリンジポンプ７のシリンダ内から試薬ノズル５まで送液して試薬ノズル５の内部及び外部を洗浄する。このとき、サンプル用洗浄液流路１９は３方弁２９によりサンプル用配管抵抗調整流路３１に接続されており、サンプル用配管抵抗調整流路３１にも洗浄水が流される。
【００３０】
サンプルノズル１の洗浄中に、３方弁３３を切り替えて試薬用洗浄液流路２１を試薬用配管抵抗調整流路３５又は試薬分注用シリンジポンプ７のシリンダに接続したとき、試薬用配管抵抗調整流路３５の配管抵抗と３方弁３３から試薬ノズル５先端までの配管抵抗は同じなので、３方弁３３の切替え前後で送液ポンプ１１の送液側流路１５内の洗浄液圧力は変化せず、サンプル用洗浄液流路１９内及び試薬用洗浄液流路２１内の洗浄液圧力も変化しない。
【００３１】
また、第２ノズルの洗浄中に、３方弁２９を切り替えてサンプル用洗浄液流路１９をサンプル用配管抵抗調整流路３１又はサンプル分注用シリンジポンプ３のシリンダに接続したとき、サンプル用配管抵抗調整流路３１の配管抵抗と３方弁２９からサンプルノズル１先端までの配管抵抗は同じなので、３方弁２９の切替え前後で送液ポンプ１１の送液側流路１５内の洗浄液圧力は変化せず、サンプル用洗浄液流路１９内及び試薬用洗浄液流路２１内の洗浄液圧力も変化しない。
【００３２】
このように、３方弁２９，３３の接続状態がいずれの組合せであっても、送液ポンプ１１により送液される洗浄水の圧力は同じになる。すなわち、サンプルノズル１及び試薬ノズル５を洗浄していない時、サンプルノズル１のみの洗浄時、試薬ノズル５のみの洗浄時、ならびにサンプルノズル１及び試薬ノズル５の両方の洗浄時のいずれの時期においても洗浄水圧力を一定に保つことができる。これにより、ノズル１，５の洗浄時の洗浄水圧力を一定に保って洗浄能力を安定化させることができる。
【００３３】
さらに、サンプル用配管抵抗調整流路３１の３方弁２９とは反対側の端部及び試薬用配管抵抗調整流路３５の３方弁３３とは反対側の端部は洗浄水タンク９に接続されているので、サンプル用配管抵抗調整流路３１及び試薬用配管抵抗調整流路３５から排出される洗浄水を洗浄水タンク９に戻して再利用することができる。これにより、サンプル用配管抵抗調整流路３１及び試薬用配管抵抗調整流路３５が洗浄水タンク９に接続されていない場合に比べて洗浄水の消費量を減らすことができる。
【００３４】
以上、本考案の実施例を説明したが、本考案はこれらに限定されるものではなく、例えば流路構成は一例であり、実用新案登録請求の範囲に記載された本考案の範囲内で種々の変更が可能である。
例えば、上記実施例では、送液ポンプ１１の送液側流路１５は１つのマニホールド１７により分岐されているが、本考案はこれに限定されるものではなく、送液側流路は複数の分岐用部材によって分岐されていてもよい。
【図面の簡単な説明】
【００３５】
【図１】一実施例の流路構成を示す図である。
【図２】従来技術の流路構成を示す図である。
【図３】他の従来技術の流路構成を示す図である。
【符号の説明】
【００３６】
１  サンプルノズル（第１ノズル）
３  サンプル分注用シリンジポンプ（第１シリンジポンプ）
５  試薬ノズル（第２ノズル）
７  試薬分注用シリンジポンプ（第２シリンジポンプ）
９  洗浄水タンク
１１  送液ポンプ
１３  流入側流路
１５  送液側流路
１９  サンプル用洗浄液流路（第１洗浄液流路）
２１  試薬用洗浄液流路（第２洗浄液流路）
２９  ３方弁（第１切替え弁）
３１  サンプル用配管抵抗調整流路（第１配管抵抗調整流路）
３３  ３方弁（第２切替え弁）
３５  試薬用配管抵抗調整流路（第２配管抵抗調整流路）
【図１】
0003128793.tif 000003
【図２】
0003128793.tif 000004
【図３】
0003128793.tif 000005